(57)【要約】【課題】  散水手段の段数が増えるにしたがって融雪能力が著しく低下して処理時間が長くなり、燃料の消費量が増加してしまう。【解決手段】  雪の滑りを止める性質を持ち、散水された熱媒体を均等に流下させる規正流下表面を備えた傾斜積雪面に、上下に間隔おいて複数段の散水手段を配置しておき、最下段の散水手段による散水から開始し、順次、上段の散水手段を使用して下段の散水手段との間の散水融雪操作と下流側の処理済み融雪区域の残雪のクリーニングを行なう。【選択図】  図７
2005290948.tif 000002
【特許請求の範囲】
【請求項１】
雪の滑りを止める性質を持ち、散水された熱媒体を均等に流下させる規正流下表面を備えた傾斜積雪面に、上下に間隔おいて複数段の散水手段を配置しておき、屋根に積雪が生じた後、下段の散水手段を使用して温水を散水し、これより下流側の雪を優先的に溶かす操作を行ない、次にこの散水手段よりも上段にある散水手段からの散水操作に移行して下段の散水を止め、下段の散水手段との間の雪を溶かすとともに、この散水操作に伴って生じる融雪流下水を下段の散水手段より下流側の処理済み融雪区域を通過させて残雪のクリーニングを行ない、以後、段数に応じ順次上段の散水手段を使用して下段の散水手段との間の散水融雪操作と下流側の処理済み融雪区域の残雪のクリーニングを行なう散水融雪方法。
【請求項２】
請求項１に記載された屋根の融雪方法において、下段の散水手段からの散水を終えた後、上段の散水手段からの散水を開始するまでに遅延時間を設ける散水融雪方法。
【発明の詳細な説明】
【技術分野】
【０００１】  本発明は、傾斜積雪面の散水による融雪方法に係る。
【背景技術】
【０００２】  屋根面に温水を散水して融雪する方式は手軽な方法であり、良質な地下水の確保できる地域では低ランニングコストなため多用されている。
地下水の利用できない地域では、ボイラーにより水を加熱して使用している。ボイラーで加熱された温水は散水手段に送られ、それぞれのヘッダより一斉に散水され、ブリッジやトンネルが形成されないように運転されている。【０００３】  しかし、従来の散水のやり方では、家屋屋根を例にとると、棟側の面はよく融けるが軒側にかけて残雪が多く、また散水パイプの先端側にかけての残雪が多く見受けられる。
図１から図４は、従来の散水融雪方法による屋根積雪面の融雪の進行状況を示す説明図である。屋根積雪表面の性状、屋根の傾斜角度、散水手段の設置間隔、散水手段からの単位時間あたりの散水量、散水温度は、後述する本発明の場合の実施条件と同一である。格段の散水手段の間隔は３．８メートル、散水量は平米当たり約５００ｃｃ、水温は摂氏１２度を想定している。図１の積雪深は６０センチとし、運転スタートは朝９時、外気温マイナス１度とする。３段の散水手段から一斉に散水を始める。運転を開始して、図２は３０分後の状態、図３は１００分後の状態、図４は２００分後の状態を示している。融雪を完了するまでに要した時間は５時間、消費した灯油は平米当たり約０．３リットルであった。
傾斜面の流下距離が長く散水手段の段数が増えると、下流域にかけて融雪能率が低下し、処理時間は長くなり、燃料の消費量が増加する欠点が認められた。【０００４】  規模の大きな積雪面を融雪する場合、この欠点は融雪設備の運転管理と経費面からは大きな障害である。具体的には、散水時間が長いと日中でなく外気温の下がる夕方以降の時間帯にも稼動させなくてはならず、途中に降雪が始まれば更に散水時間の延長が必要になる。散水時間に比例して燃料の消費量も増加する。【０００５】  この対応策として、散水の時期をできるだけ日射のある午後の時間帯に合わせて行なったり、また投入熱量を増やすことで対処してきた。豪雪地帯の雪害対応策としてみれば、緊急対応時に燃費を気にしてもしかたがなく、雪が多ければ消雪の成果を最優先で求めるのが現状である。積雪量の多少に見合うように、ボイラーの出湯温度と流量を弁で調節することを頻繁に行っているが、これは経験によるもので具体的な基準があるわけではない。
【特許文献１】  特開平８−１５８６９９
【特許文献２】  特開２０００−２２０３２１
【発明の開示】
【発明が解決しようとする課題】
【０００６】  解決しようとする問題点は、散水手段の段数が増えるにしたがって融雪能力が著しく低下して処理時間が長くなり、燃料の消費量が増える点である。
【課題を解決するための手段】
【０００７】  発明は、下段から上段にかけ熱媒体の経路に沿って段階的に融雪を進行させ、発生する融雪水を下流域の残雪処理に再利用することを主要な特徴としている。
【発明の効果】
【０００８】  本発明の散水融雪方法によれば、従来のように、下段の散水に上段からの融雪水が流入して熱媒体の著しい温度低下を招くことがない。したがって、散水された熱媒体は充分な熱量を保有したまま雪に接触し吸収され、雪は急速に溶解していく。また、融雪に伴って増量した融雪水が各段ごとに合流して多量の早い流れを形成してしまい、低温水ながら雪層の下部に流速によりトンネルを形成し、雪の下を無駄に通過し保有熱未利用のままで排水されるようなことはない。投入した熱の大部分を融雪に利用できる。しかも、格段ごとにする操作のため、設備を単一段の散水規模のものまで小型化できる利点も奏される。
【発明を実施するための最良の形態】
【０００９】  積雪層を少ない燃料で急速に融解させて消失処理するという目的を、簡単な操作手順のもとで実現した。
【実施例１】
【００１０】  図５は、傾斜面上への積雪状態を示している。傾斜積雪面には、流下規正シートが貼りつけられている。流下規正シートは、このシートに沿って流下する熱媒体の挙動に規正を加えて流れを分散させ、均一に広げて雪の層に接触させ短時間のうちに雪を溶かす性能を備えている。ここでいう流下規正シートには、例えば、本件出願と同一の出願人による特開平８−１８４２１６号（特願平６−３３９２６５）を挙げることができる。この流下規正シートはスパン糸を使用した織布から構成されているので、雪および融雪途中のシャーベットの滑りを止める滑止めシートとしての性質を兼ね備えている。【００１１】  流下規正シートの規正流下表面を備えた傾斜積雪面には、上下に間隔おいて複数段の散水手段２Ａ、２Ｂ、２Ｃが配置されている。この散水手段を使用して傾斜積雪面に対して熱媒体の散水が行われる。
熱媒体の散水温度、散水量はすべて図１から図４に示す場合と同じである。【００１２】  先ず、下段の散水手段２Ａを単独に使用して温水の散水が開始される。
図６は、散水手段２Ａからの散水を開始した後、約５０分経過後の状態を示している。散水手段２Ａより下流側の処理の済んだ融雪区域には僅かに残雪が認められる。この時点で散水手段２Ａの散水は停止されるが、これまでに要した散水時間は約５０分である。次にこの散水手段よりも上段にある散水手段２Ｂからの散水操作に移行される。散水手段２Ｂから散水された熱媒体は下段の散水手段２Ａとの間の雪を溶かすとともに、この散水操作に伴って生じる融雪流下水を下段の散水手段２Ａより下流側の処理済み融雪区域を通過させ、残雪のクリーニングを行なうために有効利用される。これまでに要した散水時間は約５０分である。同様に、散水手段２Ｂからの散水を停止し、さらに上段にある散水手段２Ｃからの散水操作に移行される。散水手段２Ｃから散水された熱媒体は下段の散水手段２Ｂとの間の雪を溶かすとともに、この散水操作に伴って生じる融雪流下水を下段の散水手段２Ｂより下流側の２つの処理済み融雪区域を通過させ、残雪のクリーニングを行なうために有効利用される。これに要した散水時間は約５０分である。最終的には、３段の散水手段による散水時間を合計すると約１５０分であった。
以後、段数に応じ順次上段の散水手段を使用して下段の散水手段との間の散水融雪操作と下流側の処理済み融雪区域の残雪のクリーニングが行なわれる。【００１３】  下段から上段の散水手段に散水融雪操作を移行する際に遅延時間を設けておけば、下流側の処理済み融雪区域に残る残雪を予め脱水しておくことができ、その方がよく水を吸って解けやすいことが観察された。
【産業上の利用可能性】
【００１４】  散水手段の段数に関わりなく長尺の傾斜面を処理できるため、折半屋根のような大長尺異形屋根や鉄道コンクリート路床のような長距離の緩勾配面にも適用できる。
【図面の簡単な説明】
【００１５】
【図１】  傾斜面上への積雪状態を示す説明図である。
【図２】  従来方式による散水初期の融雪状態を示す説明図である。
【図３】  従来方式による散水中期の融雪状態を示す説明図である。
【図４】  従来方式による散水後期の融雪状態を示す説明図である。
【図５】  傾斜面上への積雪状態を示す説明図である。
【図６】  本発明による融雪方法の最初の操作段階の説明図である。
【図７】  同じ方法による後続の操作段階の説明図である。
【図８】  同じ方法による最終の操作段階の説明図である。
【符合の説明】
【００１６】２Ａ  散水手段
２Ｂ  散水手段
２Ｃ  散水手段
【図１】
2005290948.tif 000003
【図２】
2005290948.tif 000004
【図３】
2005290948.tif 000005
【図４】
2005290948.tif 000006
【図５】
2005290948.tif 000007
【図６】
2005290948.tif 000008
【図７】
2005290948.tif 000009
【図８】
2005290948.tif 000010